(57)【要約】【課題】電子ペーパーパネルを複数配置した表示装置において、意匠性をより向上させること。【解決手段】表示装置１は、表示面に画像を表示する電子ペーパーパネル１１を少なくとも１枚含むパネル群１０と、パネル群１０を支持する架台３０と、を備え、電子ペーパーパネル１１は、前記表示面に画像を表示しない非表示領域を有し、前記表示面の少なくとも前記非表示領域に、前記非表示領域を遮蔽する遮蔽部を有する。【選択図】図２
2020177042.tif 000002
【特許請求の範囲】
【請求項１】
表示面に画像を表示する電子ペーパーパネルを少なくとも１枚含むパネル群と、
前記パネル群を支持する架台と、
を備え、
前記電子ペーパーパネルは、前記表示面に画像を表示しない非表示領域を有し、前記表示面の少なくとも前記非表示領域に、前記非表示領域を遮蔽する遮蔽部を有する、
表示装置。
【請求項２】
請求項１に記載の表示装置において、
前記遮蔽部は、前記電子ペーパーパネルの前記表示面に設けられる層と同じ階層に設けられる印刷層又はフィルム材である、
表示装置。
【請求項３】
請求項１に記載の表示装置において、
前記遮蔽部は、前記電子ペーパーパネルの前記表示面の上に設けられるフィルム材又は印刷層である、
表示装置。
【請求項４】
請求項１から請求項３までのいずれか一項に記載の表示装置において、
前記電子ペーパーパネルは、前記架台に対して着脱自在である、
表示装置。
【発明の詳細な説明】
【技術分野】
【０００１】
本発明は、電子ペーパーパネルを備えた表示装置に関する。
【背景技術】
【０００２】
従来、広告表示等に使用される表示装置として、ＬＥＤ表示タイルを上下方向及び左右方向に複数配置して構成された表示装置が提案されている（例えば、特許文献１参照）。
【先行技術文献】
【特許文献】
【０００３】
【特許文献１】特開２０１８−９２０６０号公報
【発明の概要】
【発明が解決しようとする課題】
【０００４】
電子ペーパーパネルは、ＬＥＤ表示タイルと同様の機能を有する表示パネルである。しかし、電子ペーパーパネルには、外側縁に非表示領域があるため、例えば、電子ペーパーパネル１１を格子状に複数配置すると、非表示領域が目立ちやすくなる。そのため、電子ペーパーパネルを複数配置した構成において、意匠性をより向上させることが望まれている。
【０００５】
本発明の目的は、電子ペーパーパネルを複数配置した構成において、意匠性をより向上させた表示装置を提供することにある。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
【０００７】
第１の発明は、表示面（１２）に画像を表示する電子ペーパーパネル（１１）を少なくとも１枚含むパネル群（１０）と、前記パネル群を支持する架台（３０）と、を備え、前記電子ペーパーパネルは、前記表示面に画像を表示しない非表示領域（１３）を有し、前記表示面の少なくとも前記非表示領域に、前記非表示領域を遮蔽する遮蔽部（１４）を有する表示装置（１）に関する。
【０００８】
第２の発明は、第１の発明に係る表示装置において、前記遮蔽部は、前記電子ペーパーパネルの前記表示面に設けられる層と同じ階層に設けられる印刷層又はフィルム材である。
【０００９】
第３の発明は、第１の発明に係る表示装置において、前記遮蔽部は、前記電子ペーパーパネルの前記表示面の上に設けられるフィルム材又は印刷層である。
【００１０】
第４の発明は、第１から第３までのいずれかの発明に係る表示装置御において、前記電子ペーパーパネルは、前記架台に対して着脱自在である。
【発明の効果】
【００１１】
本発明の一態様によれば、電子ペーパーパネルを複数配置した構成において、意匠性をより向上させることができる。
【図面の簡単な説明】
【００１２】
【図１】実施形態の表示装置１の斜視図である。
【図２】表示装置１の分解斜視図である。
【図３】支持板２０に取り付けられる電子ペーパーパネル１１を示す分解斜視図である。
【図４】電子ペーパーパネル１１の外観を示す平面図である。
【図５】図４（Ｂ）のＩ−Ｉ線に対応する断面図である。
【図６】電子ペーパーパネル１１の表示を切り替える駆動回路４０の概略構成を示すブロック図である。
【発明を実施するための形態】
【００１３】
以下、図面を参照しながら、本発明に係る表示装置の実施形態について説明する。
なお、本明細書に添付した図面は、いずれも模式図であり、理解しやすさ等を考慮して、各部の形状、縮尺、縦横の寸法比等を、実物から変更又は誇張している。また、図面においては、部材の断面を示すハッチングを適宜に省略する。
【００１４】
本明細書等においては、表示装置１の使用状態（図１参照）において、表示装置１を正面から見たときの左右方向をＸ方向、前後方向をＹ（Ｙ１−Ｙ２）方向、上下方向をＺ方向とする。また、本明細書においては、「〜方向」を適宜に「〜側」ともいう。
【００１５】
図１は、本実施形態の表示装置１の斜視図である。図２は、表示装置１の分解斜視図である。図３は、支持板２０に取り付けられる電子ペーパーパネル１１を示す分解斜視図である。
本実施形態の表示装置１は、例えば、広告、宣伝用の表示媒体としてイベント会場等に設置される。
図１に示すように、表示装置１は、パネル群１０、支持板２０及び架台３０を備えている。パネル群１０は、表示装置１の前側（Ｙ１側）に配置される。支持板２０は、パネル群１０と架台３０との間に配置される。架台３０は、支持板２０を間に挟んでパネル群１０とは反対側の後側（Ｙ２側）に配置される。
【００１６】
パネル群１０は、複数（本例では１６枚）の電子ペーパーパネル１１からなるパネルの集合体である。パネル群１０は、支持板２０の前側（Ｙ１側）の面に配置される。具体的には、１６枚の電子ペーパーパネル１１は、上下方向（Ｚ方向）に４列、左右方向（Ｙ方向）に４行となるように格子状に配置されている。パネル群１０を構成する各電子ペーパーパネル１１は、図３に示すように、それぞれ別体の部品として支持板２０に取り付けられる。以下の説明では、パネル群１０を支持板２０に対して図３に示す向きで配置する形態において、電子ペーパーパネル１１の前側（Ｙ１側）となる面を第１面１１ａ、後側（Ｙ２側）となる面を第２面１１ｂとする。
【００１７】
電子ペーパーパネル１１は、例えば、特許第６２４８３９８号で用いられる電子ペーパーと同様に、透明電極基材と対向電極基材との間に複数のツイストボールが封入された構造を有する。電子ペーパーパネル１１は、上記電極間に電圧を印加して、例えば白色と黒色の２相構成のツイストボールの向きを変えることにより表示形態が切り替えられる。電子ペーパーパネル１１は、表示を変化する際に電圧を印加して表示形態を変化させた後は、電圧を印加しなくても（通電を行なわなくても）、その表示形態を維持できるメモリー性を備えている。
【００１８】
支持板２０は、パネル群１０を構成する各電子ペーパーパネル１１が取り付けられる平板状の部材である。支持板２０の前側（Ｙ１側）の面には、電子ペーパーパネル１１（パネル群１０）が取り付けられる。また、支持板２０の後側（Ｙ２側）は、架台３０に取り付けられる。支持板２０は、例えば、アクリル系樹脂等の樹脂製の板材、アルミニウム等の金属製の板材、これらの複合板等により構成される。
【００１９】
図２に示すように、支持板２０は、電子ペーパーパネル１１が取り付けられる各領域２１に、開口部２２が設けられている。開口部２２は、電子ペーパーパネル１１に電力を供給する配線４１（図６参照）を通すための穴である。なお、図２では、領域２１の範囲を想像線（二点鎖線）により模式的に示しているが、支持板２０に電子ペーパーパネル１１を取り付けるための仕切り枠等を設けてもよい。
【００２０】
架台３０は、パネル群１０の各電子ペーパーパネル１１を、支持板２０を介して平面状に配置させて支持する構造体である。架台３０は、図２に示すように、フレーム材３０ａ〜３０ｉにより構成されている。架台３０は、支持板２０を取り付けたときに、支持板２０の外形とほぼ一致するように左右方向（Ｘ方向）及び上下方向（Ｚ方向）の長さが設定されている。フレーム材３０ａ〜３０ｉは、例えば、アルミニウム製の中空角材により構成される。支持板２０と架台３０は、例えば、接着剤により接合してもよいし、ボルト及びナットにより結合してもよい。
【００２１】
支持板２０を架台３０に取り付けることにより、図３に示すように、各電子ペーパーパネル１１を支持板２０の前側（Ｙ１側）の面に取り付けることができる。電子ペーパーパネル１１は、例えば、支持板２０に接着剤を介して貼り付けてもよいし、面ファスナー等により着脱自在に取り付けてもよい。また、支持板２０を金属製の板材により構成し、電子ペーパーパネル１１をマグネットシート等を介して着脱自在に取り付けてもよい。なお、表示装置１は、図１に示す状態で床面に設置できるが、架台３０に脚部（不図示）を設けて、表示装置１を床面に対して略垂直に自立させるようにしてもよい。
【００２２】
次に、電子ペーパーパネル１１の構成について説明する。
図４は、電子ペーパーパネル１１の外観を示す平面図である。図４（Ａ）は、遮蔽部１４を取り付けていない電子ペーパーパネル１１の平面図である。図４（Ｂ）は、遮蔽部１４を取り付けた電子ペーパーパネル１１の平面図である。
図５は、図４（Ｂ）のＩ−Ｉ線に対応する断面図である。図５（Ａ）は、電子ペーパーパネル１１の第１の形態を示す断面図である。図５（Ｂ）は、電子ペーパーパネル１１の第２の形態を示す断面図である。
【００２３】
図４（Ａ）に示すように、電子ペーパーパネル１１は、第１面１１ａに、表示面１２と、非表示領域１３と、を備えている。表示面１２は、画像を表示する面である。表示面１２には、図形、記号、文字、図柄、模様、絵柄等が画像として表示される。例えば、表示面１２には、図４に示すような「ＡＢＣ」の文字の他、図１に示すような各種の図形（記号、図柄、模様、絵柄等でもよい）が印刷により形成される。なお、電子ペーパーパネル１１の第２面１１ｂ（裏側の面）には、後述する電気配線と接続するコネクタ等（不図示）が設けられている。
【００２４】
非表示領域１３は、画像を表示しない領域である。電子ペーパーパネル１１は、内部に設けられた電極基材、溶媒等を密閉するため、外側縁の部分がシールされている。シールされた部分は、画像を表示しない非表示領域１３となる。電子ペーパーパネル１１の非表示領域１３には、図４（Ｂ）に示すように、遮蔽部１４が設けられている。遮蔽部１４は、観察者から非表示領域１３が直に視認しにくくするために設けられる。遮蔽部１４は、例えば、黒色の印刷層、黒色のフィルム材により構成される。黒色のフィルム材の場合、裏面に形成した粘着層により非表示領域１３に貼り付けることができる。図４（Ｂ）では、黒地の部分を破線で示している。
【００２５】
遮蔽部１４は、非表示領域１３が直に視認しにくくできれば、黒色に限らず、例えば、グレー、青、茶等の濃い色であってもよい。遮蔽部１４の表面は、光の反射を抑制するため、マット状又はこれと同等な低艶面とすることが望ましい。また、非表示領域１３は、表示面１２での表示形態に合わせた色であってもよい。その場合、非表示領域１３には、表示面１２に表示される図柄、模様、絵柄等の一部が含まれてもよい。なお、遮蔽部１４は、少なくとも非表示領域１３を覆うように設けられていればよく、遮蔽部１４により表示面１２の一部を覆うようにしてもよい。
【００２６】
遮蔽部１４は、図５（Ａ）に示すように、表示面１２に設けられるカラーフィルタ１５と同じ階層であって、非表示領域１３と厚さ方向（Ｚ方向）で重なる位置に設けることができる。また、遮蔽部１４は、図５（Ｂ）に示すように、カラーフィルタ１５の上層であって、非表示領域１３と厚さ方向で重なる位置に設けることができる。遮蔽部１４は、非表示領域１３を遮蔽することができれば、上述した第１及び第２の形態に限らず、どのような構成であってもよい。なお、図５（Ａ）及び（Ｂ）では、電子ペーパーパネル１１の層構成のうち、カラーフィルタ１５のみを図示している。
【００２７】
次に、電子ペーパーパネル１１の駆動方法について説明する。
図６は、電子ペーパーパネル１１の表示を切り替える駆動回路４０の概略構成を示すブロック図である。図６に示すように、駆動回路４０は、表示制御部５０、近距離通信部６０及び記憶部７０を備えている。
【００２８】
表示制御部５０は、パネル群１の表示を制御するマイクロコンピュータである。表示制御部５０は、配線４１を介してパネル群１０の各電子ペーパーパネル１１と電気的に接続されている。表示制御部５０は、記憶部７０（後述）からアプリケーションプログラムを読み出して実行することにより、各電子ペーパーパネル１１の表示形態を切り替える。
【００２９】
例えば、表示制御部５０は、パネル群１０を構成する電子ペーパーパネル１１のうち、文字が表示された電子ペーパーパネル１１のグループの表示と、図柄が表示された電子ペーパーパネル１１のグループの表示とを、所定時間毎に同時に切り替える制御を行う。パネル群１０の表示形態は、予め設定された１又は複数の表示パターンに基づいて実行される。表示制御部５０は、記憶部７０に記憶されたアプリケーションプログラム又は外部から取得した表示パターンに基づいて表示形態の切り替えを行う。
【００３０】
近距離通信部６０は、近距離においてデータ通信を行うための通信インターフェースである。近距離通信部６０は、管理者の保持する携帯型端末（スマートフォン等）との間でデータ通信を行う。表示制御部５０と携帯型端末との間は、近距離の無線通信、例えば、Ｂｌｕｅｔｏｏｔｈ（登録商標）、ＺｉｇＢｅｅ（登録商標）、Ｗｉ−Ｆｉ等の通信規格に準拠した電波によりデータ通信が行われる。
【００３１】
記憶部７０は、表示制御部５０で実行されるアプリケーションプログラム、各種のデータ等を記憶する記憶媒体である。パネル群１０における表示形態の切り替えは、記憶部７０に記憶された表示パターンのデータに基づいて実行される。
上述した表示制御部５０、近距離通信部６０及び記憶部７０には、電源部（不図示）から電力が供給される。
【００３２】
表示装置１における表示形態の切り替えは、予め設定された１又は複数の表示パターンを繰り返してもよいし、管理者が携帯型端末から所望の表示パターンを近距離の無線通信により指示してもよい。また、表示装置１における表示形態の切り替えは、通信ネットワーク（不図示）を介して外部の携帯型端末、サーバー等から指示してもよい。その場合、駆動回路４０には、基地局との間でデータ通信を行うネットワーク通信部（不図示）が設けられる。
【００３３】
上述した本実施形態の表示装置１によれば、電子ペーパーパネル１１の画像を表示しない非表示領域１３に遮蔽部１４が設けられているため、観察者から非表示領域１３が直に視認されにくくなる。そのため、本実施形態の表示装置１によれば、電子ペーパーパネル１１を複数配置した構成において、意匠性をより向上させることができる。
【００３４】
本実施形態の表示装置１において、遮蔽部１４を図５（Ａ）に示すような構成とすることにより、表示面１２の全体をより平坦化できる。また、本実施形態の表示装置１において、遮蔽部１４を図５（Ｂ）に示すような構成とすることにより、遮蔽部１４の印刷や貼り付けが容易となる。
本実施形態の表示装置１において、電子ペーパーパネル１１を支持板２０（図２参照）に対して着脱自在に構成することにより、表示装置１の使用目的等に応じて電子ペーパーパネル１１の配置替え、取り替え等を容易に行うことができる。
【００３５】
以上、本発明の実施形態について説明したが、本発明は、前述した実施形態に限定されるものではなく、後述する変形形態のように種々の変形や変更が可能であって、それらも本発明の技術的範囲内に含まれる。また、実施形態に記載した効果は、本発明から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【００３６】
（変形形態）
実施形態では、パネル群１０に電子ペーパーパネル１１を合計で１６枚設けた例について説明したが、パネル群１０は、少なくとも１枚の電子ペーパーパネル１１を備えていればよく、電子ペーパーパネル１１の数は特に制限されない。パネル群１０には、電子ペーパーパネル１１だけでなく、画像の表示機能を持たないパネルが含まれていてもよい。画像の表示機能を持たないパネルとは、例えば、白地の台紙の上に「ＡＢＣ」のロゴが印刷されたパネルである。また、電子ペーパーパネル１１は、折り曲げ可能に構成されていてもよい。
【００３７】
実施形態では、支持板２０に対して、電子ペーパーパネル１１を上下方向（Ｚ方向）に４枚、左右方向（Ｙ方向）に４枚配置した例について説明したが、電子ペーパーパネル１１の数及び配置パターンは、表示装置１の使用形態等に応じて適宜に選択すればよい。例えば、電子ペーパーパネル１１の数は、上下方向と左右方向で異なっていてもよい。また、実施形態では、電子ペーパーパネル１１を平面状に配置する例について説明したが、電子ペーパーパネル１１は、立体的に配置してもよい。
【００３８】
実施形態では、電子ペーパーパネル１１を正方形として図示したが、長方形、台形、菱形、三角形等であってもよい。また、実施形態では、複数の電子ペーパーパネル１１を格子状に配置する例を示したが、各電子ペーパーパネル１１を上下方向又は左右方向にずらして配置してもよい。
実施形態では、電子ペーパーパネル１１の表示面１２にカラーフィルタ１５を設ける例について説明したが、表示面１２には、例えば、保護層等の他の層が設けられていてもよい。
【００３９】
実施形態では、パネル群１０と架台３０との間に支持板２０を設けた例について説明したが、支持板２０を設けずに、電子ペーパーパネル１１を架台３０のフレーム材３０ａ〜３０ｉに直接取り付けてもよい。
実施形態では、複数の電子ペーパーパネル１１の表示形態の切り替えを一つの駆動回路４０で制御する例について説明したが、電子ペーパーパネル１１毎に駆動回路を設け、それぞれの電子ペーパーパネル１１において独立して表示形態を切り替えるようにしてもよい。
表示装置１は、本実施形態のように単独で設置してもよいし、左右方向又は上下方向に複数並べて設置してもよい。
【符号の説明】
【００４０】
１    表示装置
１０    パネル群
１１    電子ペーパーパネル
１２    表示面
１３    非表示領域
１４    遮蔽部
２０    支持板
３０    架台
４０    駆動回路
【図１】
2020177042.tif 000003
【図２】
2020177042.tif 000004
【図３】
2020177042.tif 000005
【図４】
2020177042.tif 000006
【図５】
2020177042.tif 000007
【図６】
2020177042.tif 000008